(57)【要約】【課題】ＶｏＩＰ技術を利用した通信技術に関するものであり、ネットワーク上を移動するデータ情報に連動して通信制御を行い通信品質を維持制御するトラフィック連動型通信制御装置及びその方法を提供することを目的とする。【解決手段】ＶｏＩＰ技術を利用しＩＰネットワークを介した音声通信において、通信制御を全てＩＰ上で処理するトラフィック連動型通信制御装置であって、音声通信開始前にダミーデータ通信を行いネットワークトラフィック情報を入手し蓄積及び監視する蓄積監視手段１９と、この蓄積監視手段１９の蓄積監視情報に基づいて通信制御を行う通信制御手段２０と、この通信制御手段２０の通信制御情報に基づいてＩＰ−ＰＢＸにシグナリングを要求するシグナリング手段２１とを有し、これによりネットワークトラフィック情報に応じてシステム全体の通信品質を維持制御する。【選択図】図１
2006109305.tif 000002
【特許請求の範囲】
【請求項１】
ＶｏＩＰ技術を利用してＩＰネットワークを介した音声通信を行い、通信制御を全てＩＰ上で処理するトラフィック連動型通信制御装置において、音声通信開始前にダミーデータ通信を行いネットワークトラフィック情報を入手し蓄積及び監視する蓄積監視手段と、この蓄積監視手段の蓄積監視情報に基づいて通信制御を行う通信制御手段と、この通信制御手段の通信制御情報に基づいてＩＰ−ＰＢＸにシグナリングを要求するシグナリング手段とを有するトラフィック連動型通信制御装置。
【請求項２】
前記蓄積監視手段の蓄積監視情報は、前記ＩＰネットワーク上のルーターより通知するネットワークトラフィック情報である請求項１に記載のトラフィック連動型通信制御装置。
【請求項３】
前記蓄積監視手段の蓄積監視情報は、トラフィック連動型通信制御装置の中でマスターを設定し、このマスターの前記トラフィック連動型通信制御装置が入手し通知するネットワークトラフィック情報である請求項１に記載のトラフィック連動型通信制御装置。
【請求項４】
前記蓄積監視手段の蓄積監視情報は、前記ＩＰネットワーク上の待機中の前記トラフィック連動型通信制御装置どうしがダミーデータ通信を行い入手し通知する前記ネットワークトラフィック情報である請求項１に記載のトラフィック連動型通信制御装置。
【請求項５】
ＶｏＩＰ技術を利用してＩＰネットワークを介した音声通信を行い、通信制御を全てＩＰ上で処理するトラフィック連動型通信制御方法において、音声通信開始前にダミーデータ通信を行いネットワークトラフィック情報を入手し蓄積及び監視する蓄積監視ステップと、この蓄積監視ステップの蓄積監視情報に基づいて通信制御を行う通信制御ステップと、この通信制御ステップの通信制御情報に基づいてＩＰ−ＰＢＸにシグナリングを要求するシグナリングステップとを有するトラフィック連動型通信制御方法。
【請求項６】
前記蓄積監視ステップは、前記ＩＰネットワーク上のルーターより通知するネットワークトラフィック情報を蓄積監視するステップである請求項５記載のトラフィック連動型通信制御方法。
【請求項７】
前記蓄積監視ステップは、トラフィック連動型通信制御装置の中でマスターを設定し、このマスターの前記トラフィック連動型通信制御装置が入手し通知するネットワークトラフィック情報を蓄積監視するステップである請求項５記載のトラフィック連動型通信制御方法。
【請求項８】
前記蓄積監視ステップは、前記ＩＰネットワーク上の待機中の前記トラフィック連動型通信制御装置どうしがダミーデータ通信を行い入手し通知する前記ネットワークトラフィック情報を蓄積監視するステップである請求項５記載のトラフィック連動型通信制御方法。
【発明の詳細な説明】
【技術分野】
【０００１】
本発明は、ＶｏＩＰ技術を利用した通信技術であって、ネットワーク上を移動するデータ情報に連動したトラフィック連動型通信制御装置及びその方法に関するものである。
【背景技術】
【０００２】
従来、この種の通信制御技術は、図１０に示されるように通信制御を行っていた。
【０００３】
図１０は従来の通信制御システムのネットワーク構成図である。
【０００４】
図１０において、ＩＰネットワーク７０は一般端末７７が公衆回線網７８からゲートウェイ７６を介して基地局７２配下の移動体端末７１への音声ＩＰパケットの送受をなす伝送網であって、移動体端末７１がゲートウェイ７６からのダミー音声ＩＰパケット７９を移動体端末７１を管理するホームエージェント７４からＩＰトンネル８１を通り、無線ネットワーク制御装置７３により基地局７２を介して受信すると、ホームエージェント７４はルートを最適化する旨の通知メッセージ８０をゲートウェイ７６に送り、音声ＩＰパケットのルートの最適化が開始され、最適化が完了するとコールエージェント７５によりＶｏｉｃｅ  ｏｖｅｒ  ＩＰ（ＶｏＩＰ）シグナリング処理が行われ、最適化されたＩＰトンネル８２を通り遅延時間の変動も少なく音声が乱れることも無い音声通信を行う。
【０００５】
また通話開始直後からルートの最適化が完了するため、音声ＩＰパケットの到着順序の乱れも少なくなることにより、パケットロスの可能性も限りなく少なくすることを提供するものである。（例えば、特許文献１参照）。
【０００６】
以上のようにネットワーク構成された通信制御システムについて、以下にその動作を説明する。
【０００７】
図１１は従来の通信制御方法の動作を示すシーケンスである。
【０００８】
一般端末７７が移動体端末７１に発信しゲートウェイ７６にＳｅｔｕｐメッセージ１００が送信され、このＳｅｔｕｐメッセージ１００を受信したゲートウェイ７６はコールエージェント７５に対してＩｎｖｉｔｅメッセージ１０１を送信する。
【０００９】
Ｉｎｖｉｔｅメッセージ１０１を受信したコールエージェント７５は、メッセージの着信電話番号から着信者のＩＰアドレスである移動体端末７１のホームアドレスを検索し、移動体端末７１に対してＩｎｖｉｔｅメッセージ１０２を送信する。
【００１０】
Ｉｎｖｉｔｅメッセージ１０２はホームエージェント７４にて受信されカプセル化が行われ、Ｉｎｖｉｔｅメッセージ１０３はＩＰトンネル８１を経由して無線ネットワーク制御装置７３に転送される。
【００１１】
Ｉｎｖｉｔｅメッセージ１０３を受信した無線ネットワーク制御装置７３は、デカプセル化を行いＩｎｖｉｔｅメッセージ１０４は基地局７２を経由して移動体端末７１に送信される。
【００１２】
ここで、Ｉｎｖｉｔｅメッセージ１０２を受信したホームエージェント７４は、シグナリングパケットのルート最適化を行うため移動体端末７１のホームアドレスと無線ネットワーク制御装置７３のアドレスを設定した後、ＢｉｎｄＵｐｄａｔｅメッセージ１０５をコールエージェント７５に送信する。
【００１３】
ＢｉｎｄＵｐｄａｔｅメッセージ１０５を受信したコールエージェント７５は、以降に受信する移動体端末７１向けのシグナリングパケットをカプセル化しホームエージェント７４を経由せず、無線ネットワーク制御装置７３に送信することでシグナリングパケットのルート最適化１０６が行われる。
【００１４】
Ｒｉｎｇｉｎｇメッセージ１０７を受信した無線ネットワーク制御装置７３は、コールエージェント７５にＲｉｎｇｉｎｇメッセージ１０８を送信し、このＲｉｎｇｉｎｇメッセージ１０８を受信したコールエージェント７５はゲートウェイ７６にＲｉｎｇｉｎｇメッセージ１０９を送信する。
【００１５】
またＲｉｎｇｉｎｇメッセージ１０９を受信したゲートウェイ７６は、一般端末７７にＡｌｅｒｔメッセージ１１０を送信する。
【００１６】
ここで、Ｒｉｎｇｉｎｇメッセージ１０９を受信したゲートウェイ７６は、Ｒｉｎｇｉｎｇメッセージ１０９内にある移動体端末７１のアドレスから、移動体端末７１に対してダミー音声ＩＰパケット１１１を送信する。
【００１７】
ダミー音声ＩＰパケット１１１はホームエージェント７４にて受信されカプセル化が行われた後、ダミー音声ＩＰパケット１１２はＩＰトンネル８１を経由して無線ネットワーク制御装置７３に転送される。
【００１８】
ダミー音声ＩＰパケット１１２を受信した無線ネットワーク制御装置７３はデカプセル化を行い、ダミー音声ＩＰパケット１１３は基地局７２を経由して移動体端末７１に送信される。
【００１９】
ここで、ダミー音声ＩＰパケット１１１を受信したホームエージェント７４は音声ＩＰパケットのルート最適化を行うため、移動体端末７１のホームアドレスと無線ネットワーク制御装置７３のアドレスを設定した後、ＢｉｎｄＵｐｄａｔｅメッセージ１１４をゲートウェイ７６に送信する。
【００２０】
ＢｉｎｄＵｐｄａｔｅメッセージ１１４を受信したゲートウェイ７６は、以降に受信する移動体端末７１向けの音声ＩＰパケットをカプセル化し、ホームエージェント７４を経由せず無線ネットワーク制御装置７３に送信することで音声ＩＰパケットのルート最適化１１５が開始され、通話開始１２４において最適化が行われる。
【００２１】
次に、ＯＫメッセージ１１６を受信した無線ネットワーク制御装置７３は、コールエージェント７５にＯＫメッセージ１１７を送信し、ＯＫメッセージ１１７を受信したコールエージェント７５はゲートウェイ７６にＯＫメッセージ１１８を送信する。
【００２２】
またＯＫメッセージ１１８を受信したゲートウェイ７６は、一般端末７７にＣｏｎｎｅｃｔメッセージ１１９を送信し、ＣｏｎｎｅｃｔＡＣＫメッセージ１２０を受信したゲートウェイ７６は、コールエージェント７５にＡＣＫメッセージ１２１を送信する。
【００２３】
ＡＣＫメッセージ１２１を受信したコールエージェント７５は、上記シグナリングパケットのルート最適化により無線ネットワーク制御装置７３にＡＣＫメッセージ１２２を送信し、無線ネットワーク制御装置７３は移動体端末７１にＡＣＫメッセージ１２３を送信する。
【００２４】
ここで、一般端末７７と移動体端末７１は通話開始状態１２４となり、ゲートウェイ７６にて受信した音声ＩＰパケット１２５は上記音声ＩＰパケットのルート最適化により、ホームエージェント７４を経由することなく音声ＩＰパケット１２６は無線ネットワーク制御装置７３に送信され、最終的には音声ＩＰパケット１２７として移動体端末７１に到着する。
【特許文献１】特開２００２−２９０４７８号公報
【発明の開示】
【発明が解決しようとする課題】
【００２５】
しかしながら、上記従来の通信制御方法では、単に通信する端末間の音声ＩＰパケットの遅延時間を小さくしたり、パケットロスを少なくするためにルートの最適化を狙ったもので、トラフィックの混雑具合を加味しそれに応じて通信制御をするものではなく、システム全体のトラフィック情報を監視し通信制御を行っていないため、システム全体として通信品質を維持制御することができないという問題点を有していた。
【００２６】
本発明は上記問題点を解決するものであり、システム全体のトラフィック情報を監視して通信制御を行い通信品質を維持制御するトラフィック連動型通信制御装置及びその方法を提供することを目的とするものである。
【課題を解決するための手段】
【００２７】
本発明は上記目的を達成するために、Ｖｏｉｃｅ  ｏｖｅｒ  ＩＰ（ＶｏＩＰ）技術を利用してＩＰネットワークを介した音声通信を行い、通信制御を全てＩＰ上で処理するトラフィック連動型通信制御装置において、音声通信開始前にダミーデータ通信を行いネットワークトラフィック情報を監視してネットワークトラフィック情報に応じた通信制御を行う構成を備えている。
【００２８】
この構成により、ネットワークトラフィック情報に応じてシステム全体の通信品質を維持制御し、仮にネットワーク構成が変わってもネットワークトラフィック情報と連動した通信制御を行う。
【発明の効果】
【００２９】
本発明によれば、上記の構成によりシステム全体の通信品質を維持制御し、仮にネットワーク構成が変わってもネットワークトラフィック情報と連動した通信制御を行うことができる。
【発明を実施するための最良の形態】
【００３０】
本発明のトラフィック連動型通信制御装置は、ＶｏＩＰ技術を利用しＩＰネットワークを介した音声通信を行い、通信制御を全てＩＰ上で処理するトラフィック連動型通信制御装置において、音声通信開始前にダミーデータ通信を行いネットワークトラフィック情報を入手し蓄積及び監視する蓄積監視手段と、この蓄積監視手段の蓄積監視情報に基づいて通信制御を行う通信制御手段と、この通信制御手段の通信制御情報に基づいてＩＰ−ＰＢＸにシグナリングを要求するシグナリング手段とを設けた構成を有する。
【００３１】
これにより、ネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００３２】
また、ネットワークトラフィック情報は、ＩＰネットワーク上におけるルーターが音声通信開始前にダミーデータ通信を行った前記トラフィック連動型通信制御装置から入手し通知するネットワークトラフィック情報を蓄積監視する構成にしてもよい。
【００３３】
これにより、通信中の前記トラフィック連動型通信制御装置に負荷をかけることなくネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００３４】
また、ネットワークトラフィック情報は、前記トラフィック連動型通信制御装置の中でマスターを設定し、このマスターの前記トラフィック連動型通信制御装置が音声通信開始前にダミーデータ通信を行った前記トラフィック連動型通信制御装置から入手し通知するネットワークトラフィック情報を蓄積監視する構成にしてもよい。
【００３５】
これにより、通信中の前記トラフィック連動型通信制御装置に負荷をかけることなくネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００３６】
また、ネットワークトラフィック情報は、前記ＩＰネットワーク上の待機中の前記トラフィック連動型通信制御装置どうしがダミーデータ通信を行い入手し通知するネットワークトラフィック情報を蓄積監視する構成にしてもよい。
【００３７】
これにより、常に様々な経路のネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００３８】
本発明のトラフィック連動型通信制御方法は、ＶｏＩＰ技術を利用しＩＰネットワークを介した音声通信を行い、通信制御を全てＩＰ上で処理するトラフィック連動型通信制御方法において、音声通信開始前にダミーデータ通信を行いネットワークトラフィック情報を入手し蓄積及び監視する蓄積監視ステップと、この蓄積監視ステップの蓄積監視情報に基づいて通信制御を行う通信制御ステップと、この通信制御ステップの通信制御情報に基づいてＩＰ−ＰＢＸにシグナリングを要求するシグナリングステップとからなる方法である。
【００３９】
これにより、ネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００４０】
また、ネットワークトラフィック情報は、ＩＰネットワーク上におけるルーターが音声通信開始前にダミーデータ通信を行った前記トラフィック連動型通信制御装置から入手し通知するネットワークトラフィック情報を蓄積監視するステップにしてもよい。
【００４１】
これにより、通信中の前記トラフィック連動型通信制御装置に負荷をかけることなくネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００４２】
また、ネットワークトラフィック情報は、前記トラフィック連動型通信制御装置の中でマスターを設定し、このマスターの前記トラフィック連動型通信制御装置が、音声通信開始前にダミーデータ通信を行った前記トラフィック連動型通信制御装置から入手し通知するネットワークトラフィック情報を蓄積監視するステップにしてもよい。
【００４３】
これにより、通信中の前記トラフィック連動型通信制御装置に負荷をかけることなくネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００４４】
また、ネットワークトラフィック情報は、前記ＩＰネットワーク上の待機中の前記トラフィック連動型通信制御装置どうしがダミーデータ通信を行い入手し通知するネットワークトラフィック情報を蓄積監視するステップにしてもよい。
【００４５】
これにより、常に様々な経路のネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できるという効果が得られる。
【００４６】
（実施の形態１）
以下、本発明の実施の形態１におけるトラフィック連動型通信制御装置及びその方法について、図面を参照しながら説明する。
【００４７】
図１は本発明のトラフィック連動型通信制御装置が用いられる一例のＩＰ端末の構成を示すブロック図、図２は本発明の実施の形態１におけるトラフィック連動型通信制御装置を用いたトラフィック制御システムの構成図である。
【００４８】
図１において、実施の形態１のトラフィック連動型通信制御装置におけるＩＰ端末３、４、５、６は、ＩＰネットワーク１と接続するためのネットワークインターフェース手段１５と、前記ＩＰネットワーク１を介して音声通信する際に音声データをＩＰ処理したり前期ＩＰ端末３、４、５、６の操作表示の処理等を行うネットワークＶｏＩＰ処理手段１１と、前記ＩＰ端末３，４，５，６の動作を制御するプログラム等を格納しているメモリー手段１４と、マイクやスピーカにより音声の入出力を行う音声入出力手段１２と、テンキー他やＬＣＤ、ＬＥＤの操作表示手段１３と、前記ＩＰ端末３，４，５，６に電源を供給する電源手段１６とで構成され、更に前記ネットワークＶｏＩＰ処理手段１１は各手段を制御する主制御手段１７と音声圧縮（ＩＴＵ−Ｔ勧告のＧ．７１１、Ｇ．７２９、Ｇ．７２３等）やジッタバッファ制御やエコーキャンセル等の処理を行う音声処理手段１８と、音声通信を希望する前記ＩＰ端末３，４，５，６から前記ネットワークインターフェース手段１５、前記ＩＰネットワーク１を介して呼制御情報(オンフック、オフフック、相手電話番号、保留、転送等の情報)や通信制御パラメータの情報（音声圧縮の種類、揺らぎバッファ量、パケット化周期、無音圧縮等）の送信指示をするシグナリング手段２１と、前記ＩＰネットワーク１、前記ネットワークインターフェース手段１５を介して受信するネットワークトラフィック情報を蓄積及び監視する蓄積監視手段１９と、この蓄積監視手段１９の情報から前記ＩＰ端末３，４，５，６の通信制御を決定する通信制御手段２０とで構成される。
【００４９】
図２において、本発明の実施の形態1におけるトラフィック連動型通信制御装置を用いたトラフィック制御システムの構成は、ＩＰ−ＰＢＸ２と、このＩＰ−ＰＢＸ２にＩＰネットワーク１を介して繋がっているＩＰ電話等を含む複数のＩＰ端末３、４、５、６と、このＩＰ端末３、４、５、６をルーティングするルーター７と、ＰＳＴＮやＩＳＤＮやｘＤＳＬ等を含む公衆回線網８とにより構成され、ネットワークトラフィック情報は前記ＩＰ端末３、４、５、６がダミーデータ通信を行い入手する。
【００５０】
以上のように構成されたトラフィック連動型通信制御装置の動作、すなわちトラフィック連動型通信制御方法について説明する。
【００５１】
図３は、実施の形態１におけるトラフィック連動型通信制御方法の動作を示すフローチャートである。
【００５２】
例えば音声通信を希望する送信側ＩＰ端末３が、その音声通信の開始前にダミーデータ通信を行うために前記ネットワークインターフェース手段１５、前記ＩＰネットワーク１を介して呼制御情報(オンフック、オフフック、相手電話番号、保留、転送等の情報) や通信制御パラメータの情報（音声圧縮の種類、揺らぎバッファ量、パケット化周期、無音圧縮等）を前記シグナリング手段２１の指示により前記ＩＰ−ＰＢＸ２に送信すると、このＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し、送信側ＩＰ端末３と受信側ＩＰ端末５との間で相互にダミーデータを送受信してダミーデータ通信を開始する（ステップ３１）。
【００５３】
このダミーデータ通信により、ダミーデータ通信中の前記ＩＰ端末３、５はパケットロスや遅延揺らぎ量や接続経路情報等のネットワークトラフィック情報を入手する（ステップ３２）。
【００５４】
入手した前記ネットワークトラフィック情報は、前記蓄積監視手段１９に蓄積され、前記ネットワークトラフィック情報により前記ＩＰネットワーク１のトラフィック状態を監視する（ステップ３３）。
【００５５】
そして、前記ＩＰネットワーク１の蓄積監視情報から通話品質がＩＴＵ−Ｔ勧告の評価方法（客観評価のＧ．１０７、Ｐ．８６１．Ｐ．８６２のいずれでもよい）の品質レベルを満足するかを判定し（ステップ３４）、品質レベルを満足するものであればこれから開始する音声通信の通信制御パラメータを決定し（ステップ３６）、送信側ＩＰ端末３より音声通信を行うために前記ネットワークインターフェース手段１５、前記ＩＰネットワーク１を介して呼制御情報(オンフック、オフフック、相手電話番号、保留、転送等の情報) や決定した通信制御パラメータの情報（音声圧縮の種類、揺らぎバッファ量、パケット化周期、無音圧縮等）を前記シグナリング手段２１の指示により前記ＩＰ−ＰＢＸ２に送信する（ステップ３７）。
【００５６】
前記ＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し（ステップ３８）、送信側ＩＰ端末３と受信側ＩＰ端末５との間で音声通信を開始する（ステップ３９）。
【００５７】
品質レベルを満足するものでなければ通信品質を制御するパラメータ（音声圧縮の種類、揺らぎバッファ量、パケット化周期、無音圧縮等）を設定変更して（ステップ３５）、上述と同様にステップ３７、３８、３９に従って接続制御を行い通信を開始する。
【００５８】
ここで、前記ステップにおいてダミーデータ通信によりダミーデータ通信中の前記ＩＰ端末３、５がネットワークトラフィック情報を入手するステップ３２と、前記ネットワークトラフィック情報を蓄積監視するステップ３３とが本実施の形態１における蓄積監視ステップで、通信品質は満足かを判定するステップ３４と、通信制御パラメータを決定するステップ３６と、通信制御パラメータを設定変更するステップ３５とが本実施の形態１における通信制御ステップで、通信制御パラメータが決定されたことを受けてＩＰ−ＰＢＸ２に接続制御のシグナリングを行うステップ３７がシグナリングステップである。
【００５９】
以上のように本実施の形態１によれば、ＶｏＩＰ技術を利用しＩＰネットワーク１を介した音声通信を行い、通信制御を全てＩＰ上で処理するトラフィック連動型通信制御装置において、音声通信開始前のＩＰ端末がダミーデータ通信を行いネットワークトラフィック情報を入手し蓄積及び監視する蓄積監視手段１９と、この蓄積監視手段１９の蓄積監視情報に基づいて通信制御を行う通信制御手段２０と、この通信制御手段２０の通信制御情報に基づいてＩＰ−ＰＢＸ２にシグナリングを要求するシグナリング手段２１とを有することにより、ネットワークトラフィック情報に応じてシステム全体の通信品質を維持制御し、仮にネットワーク構成が変わってもネットワークトラフィック情報と連動した通信制御であるため、ネットワーク構成に依存しないで通信品質を維持制御できる。
【００６０】
また上述の通り、トラフィック連動型通信制御装置としてハードウェア的に実現できることは勿論のこと、「ステップ」として把握しトラフィック連動型通信制御方法としてソフトウェア的に実現することができることも明らかである。
【００６１】
（実施の形態２）
以下、本発明の実施の形態２におけるトラフィック連動型通信制御装置及びその方法について、図面を参照しながら説明する。
【００６２】
図４は本発明の実施の形態２におけるトラフィック連動型通信制御装置を用いたトラフィック制御システムの構成図である。
【００６３】
本発明の実施の形態２におけるトラフィック連動型通信制御装置では、ＩＰ端末３、４、５、６がダミーデータ通信を行ったときに、前記ＩＰ端末３、４、５、６をルーティングするルーター７がそのときのネットワークトラフィック情報を入手し前記ＩＰ端末３、４、５、６に通知する。
【００６４】
以上のように構成されたトラフィック連動型通信制御装置の動作、すなわちトラフィック連動型通信制御方法について説明する。
【００６５】
図５は、実施の形態２におけるトラフィック連動型通信制御方法の動作を示すフローチャートである。
【００６６】
例えば音声通信を希望する送信側ＩＰ端末３が、その音声通信の開始前にダミーデータ通信を行うために前記ネットワークインターフェース手段１５、前記ＩＰネットワーク１を介して呼制御情報(オンフック、オフフック、相手電話番号、保留、転送等の情報) や通信制御パラメータの情報（音声圧縮の種類、揺らぎバッファ量、パケット化周期、無音圧縮等）を前記シグナリング手段２１の指示により前記ＩＰ−ＰＢＸ２に送信すると、このＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し、送信側ＩＰ端末３と受信側ＩＰ端末５との間で相互にダミーデータを送受信してダミーデータ通信を開始する（ステップ４１）。
【００６７】
このダミーデータ通信により、前記ＩＰネットワーク１上のルーター７が前記ＩＰ端末３、５のパケットロスや遅延揺らぎ量や接続経路情報等のネットワークトラフィック情報を入手し、このネットワークトラフィック情報を前記ＩＰ端末３、４、５、６に通知する（ステップ４２）。
【００６８】
入手した前記ネットワークトラフィック情報は、前記蓄積監視手段１９に蓄積され、前記ネットワークトラフィック情報により前記ＩＰネットワーク１のトラフィック状態を監視する（ステップ４３）。
【００６９】
そして、前記ＩＰネットワーク１の蓄積監視情報から通話品質がＩＴＵ−Ｔ勧告の評価方法（客観評価のＧ．１０７、Ｐ．８６１．Ｐ．８６２のいずれでもよい）の品質レベルを満足するかを判定し（ステップ４４）、品質レベルを満足するものであればこれから開始する音声通信の通信制御パラメータを決定し（ステップ４６）、送信側ＩＰ端末３より音声通信を行うために前記ネットワークインターフェース手段１５、前記ＩＰネットワーク１を介して呼制御情報(オンフック、オフフック、相手電話番号、保留、転送等の情報) や決定した通信制御パラメータの情報（音声圧縮の種類、揺らぎバッファ量、パケット化周期、無音圧縮等）を前記シグナリング手段２１の指示により前記ＩＰ−ＰＢＸ２に送信する（ステップ４７）。
【００７０】
前記ＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し（ステップ４８）、送信側ＩＰ端末３と受信側ＩＰ端末５との間で音声通信を開始する（ステップ４９）。
【００７１】
品質レベルを満足するものでなければ通信品質を制御するパラメータ（音声圧縮の種類、揺らぎバッファ量、パケット化周期、無音圧縮等）を設定変更して（ステップ４５）、上述と同様にステップ４７、４８、４９に従って接続制御を行い通信を開始する。
【００７２】
ここで、前記ステップにおいてダミーデータ通信により、前記ＩＰネットワーク１上のルーター７が前記ＩＰ端末３、５のパケットロスや遅延揺らぎ量や接続経路情報等のネットワークトラフィック情報を入手し、このネットワークトラフィック情報を前記ＩＰ端末３、５に通知するステップ４２と、前記ネットワークトラフィック情報を蓄積監視するステップ４３とが本実施の形態２における蓄積監視ステップで、通信品質は満足かを判定するステップ４４と、通信制御パラメータを決定するステップ４６と、通信制御パラメータを設定変更するステップ４５とが本実施の形態２における通信制御ステップで、通信制御パラメータが決定されたことを受けてＩＰ−ＰＢＸ２に接続制御のシグナリングを行うステップ４７がシグナリングステップである。
【００７３】
以上のように本実施の形態２によれば、ＶｏＩＰ技術を利用しＩＰネットワーク１を介した音声通信を行い、通信制御を全てＩＰ上で処理するトラフィック連動型通信制御装置において、音声通信開始前にダミーデータ通信を行い、そのネットワークトラフィック情報をＩＰネットワーク１上のルーター７が入手し各ＩＰ端末３、４、５、６に通知し、このネットワークトラフィック情報を蓄積及び監視する蓄積監視手段１９と、この蓄積監視手段１９の蓄積監視情報に基づいて通信制御を行う通信制御手段２０と、この通信制御手段２０の通信制御情報に基づいてＩＰ−ＰＢＸ２にシグナリングを要求するシグナリング手段２１とを有することにより、通信中のＩＰ端末に負荷をかけることなくネットワークトラフィック情報を入手し、このネットワークトラフィック情報に応じてシステム全体の通信品質を維持制御でき、仮にネットワーク構成が変わってもネットワークトラフィック情報と連動した通信制御であるため、ネットワーク構成に依存しないで通信品質を維持制御できる。
【００７４】
また上述の通り、トラフィック連動型通信制御システムとしてハードウェア的に実現できることは勿論のこと、「ステップ」として把握しトラフィック連動型通信制御方法としてソフトウェア的に実現することができることも明らかである。
【００７５】
（実施の形態３）
以下、本発明の実施の形態３におけるトラフィック連動型通信装置及びその方法について、図面を参照しながら説明する。
【００７６】
図６は本発明の実施の形態３におけるトラフィック連動型通信制御装置を用いたトラフィック制御システムの構成図である。
【００７７】
図６において、本発明の実施の形態３におけるトラフィック連動型通信制御装置を用いたトラフィック制御システムの構成は、ＩＰ−ＰＢＸ２と、このＩＰ−ＰＢＸ２にＩＰネットワーク１を介して繋がっているＩＰ電話等を含む複数のＩＰ端末３、４、５、６及びマスターＩＰ端末９と、このＩＰ端末３、４、５、６及びマスターＩＰ端末９とをルーティングするルーター７と、ＰＳＴＮやＩＳＤＮやｘＤＳＬ等を含む公衆回線網８とにより構成され、ネットワークトラフィック情報はＩＰ端末３、４、５、６がダミーデータ通信を行い、前記マスターＩＰ端末９が入手し前記ＩＰ端末３、４、５、６に通知する。
【００７８】
以上のように構成されたトラフィック連動型通信制御装置の動作、すなわちトラフィック連動型通信制御方法について説明する。
【００７９】
図７は、実施の形態３におけるトラフィック連動型通信制御方法の動作を示すフローチャートである。
【００８０】
例えば音声通信を希望する送信側ＩＰ端末３が、その音声通信の開始前にダミーデータ通信を行うために前記ネットワークインターフェース手段１５、前記ＩＰネットワーク１を介して呼制御情報(オンフック、オフフック、相手電話番号、保留、転送等の情報) や通信制御パラメータの情報（音声圧縮の種類、揺らぎバッファ量、パケット化周期、無音圧縮等）を前記シグナリング手段２１の指示により前記ＩＰ−ＰＢＸ２に送信すると、このＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し、送信側ＩＰ端末３と受信側ＩＰ端末５との間で相互にダミーデータを送受信してダミーデータ通信を開始する（ステップ５１）。
【００８１】
このダミーデータ通信により、前記ＩＰネットワーク１上のマスターＩＰ端末９が前記ＩＰ端末３、５のパケットロスや遅延揺らぎ量や接続経路情報等のネットワークトラフィック情報を入手し、このネットワークトラフィック情報を前記ＩＰ端末３、４、５、６に通知する（ステップ５２）。
【００８２】
入手した前記ネットワークトラフィック情報は、前記蓄積監視手段１９に蓄積され、前記ネットワークトラフィック情報により前記ＩＰネットワーク１のトラフィック状態を監視する（ステップ５３）。
【００８３】
そして、前記ＩＰネットワーク１の蓄積監視情報から通話品質がＩＴＵ−Ｔ勧告の評価方法（客観評価のＧ．１０７、Ｐ．８６１．Ｐ．８６２のいずれでもよい）の品質レベルを満足するかを判定し（ステップ５４）、品質レベルを満足するものであればこれから開始する音声通信の通信制御パラメータを決定し（ステップ５６）、送信側ＩＰ端末３より音声通信を行うために前記ネットワークインターフェース手段１５、前記ＩＰネットワーク１を介して呼制御情報(オンフック、オフフック、相手電話番号、保留、転送等の情報) や決定した通信制御パラメータの情報（音声圧縮の種類、揺らぎバッファ量、パケット化周期、無音圧縮等）を前記シグナリング手段２１の指示により前記ＩＰ−ＰＢＸ２に送信する（ステップ５７）。
【００８４】
前記ＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し（ステップ５８）、送信側ＩＰ端末３と受信側ＩＰ端末５との間で音声通信を開始する（ステップ５９）。
【００８５】
品質レベルを満足するものでなければ通信品質を制御するパラメータ（音声圧縮の種類、揺らぎバッファ量、パケット化周期、無音圧縮等）を設定変更して（ステップ５５）、上述と同様にステップ５７、５８、５９に従って接続制御を行い通信を開始する。
【００８６】
ここで、前記ステップにおいてダミーデータ通信により、前記ＩＰネットワーク１上のマスターＩＰ端末９が前記ＩＰ端末３、５のパケットロスや遅延揺らぎ量や接続経路情報等のネットワークトラフィック情報を入手し、このネットワークトラフィック情報を前記ＩＰ端末３、５に通知するステップ５２と、前記ネットワークトラフィック情報を蓄積監視するステップ５３とが本実施の形態３における蓄積監視ステップで、通信品質は満足かを判定するステップ５４と、通信制御パラメータを決定するステップ５６と、通信制御パラメータを設定変更するステップ５５とが本実施の形態３における通信制御ステップで、通信制御パラメータが決定されたことを受けてＩＰ−ＰＢＸ２に接続制御のシグナリングを行うステップ５７がシグナリングステップである。
【００８７】
以上のように本実施の形態３によれば、ＶｏＩＰ技術を利用しＩＰネットワーク１を介した音声通信を行い、通信制御を全てＩＰ上で処理するトラフィック連動型通信制御装置において、音声通信開始前にダミーデータ通信を行い、そのネットワークトラフィック情報をＩＰネットワーク１上のマスターＩＰ端末９が入手し各ＩＰ端末３、４、５、６に通知し、このネットワークトラフィック情報を蓄積及び監視する蓄積監視手段１９と、この蓄積監視手段１９の蓄積監視情報に基づいて通信制御を行う通信制御手段２０と、この通信制御手段２０の通信制御情報に基づいてＩＰ−ＰＢＸ２にシグナリングを要求するシグナリング手段２１とを有することにより、通信中のＩＰ端末に負荷をかけることなくネットワークトラフィック情報を入手し、このネットワークトラフィック情報に応じてシステム全体の通信品質を維持制御でき、仮にネットワーク構成が変わってもネットワークトラフィック情報と連動した通信制御であるため、ネットワーク構成に依存しないで通信品質を維持制御できる。
【００８８】
また上述の通り、トラフィック連動型通信制御システムとしてハードウェア的に実現できることは勿論のこと、「ステップ」として把握しトラフィック連動型通信制御方法としてソフトウェア的に実現することができることも明らかである。
【００８９】
（実施の形態４）
以下、本発明の実施の形態４におけるトラフィック連動型通信装置及びその方法について、図面を参照しながら説明する。
【００９０】
図８本発明の実施の形態４におけるトラフィック連動型通信制御装置を用いたトラフィック制御システムの構成図である。
【００９１】
本発明の実施の形態４におけるトラフィック連動型通信制御装置では、待機中のＩＰ端末３、４、５、６がダミーデータ通信を行ったときに、ネットワークトラフィック情報を入手し前記ＩＰ端末３、４、５、６に通知する。
【００９２】
以上のように構成されたトラフィック連動型通信制御装置の動作、すなわちトラフィック連動型通信制御方法について説明する。
【００９３】
図９は、実施の形態４におけるトラフィック連動型通信制御方法の動作を示すフローチャートである。
【００９４】
例えば待機中の送信側ＩＰ端末３が、ダミーデータ通信を行うために前記ネットワークインターフェース手段１５、前記ＩＰネットワーク１を介して呼制御情報(オンフック、オフフック、相手電話番号、保留、転送等の情報) や通信制御パラメータの情報（音声圧縮の種類、揺らぎバッファ量、パケット化周期、無音圧縮等）を前記シグナリング手段２１の指示により前記ＩＰ−ＰＢＸ２に送信すると、このＩＰ−ＰＢＸ２は呼制御情報に含まれる相手電話番号の待機中の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し、送信側ＩＰ端末３と受信側ＩＰ端末５との間で相互にダミーデータを送受信してダミーデータ通信を開始する（ステップ６１）。
【００９５】
このダミーデータ通信により、ダミーデータ通信中の前記ＩＰ端末３、５はパケットロスや遅延揺らぎ量や接続経路情報等のネットワークトラフィック情報を入手し前記ＩＰ端末４、６に通知する（ステップ６２）。
【００９６】
同様に待機中の送信側ＩＰ端末４が、ダミーデータ通信を行うために前記ネットワークインターフェース手段１５、前記ＩＰネットワーク１を介して呼制御情報(オンフック、オフフック、相手電話番号、保留、転送等の情報) や通信制御パラメータの情報（音声圧縮の種類、揺らぎバッファ量、パケット化周期、無音圧縮等）を前記シグナリング手段２１の指示により前記ＩＰ−ＰＢＸ２に送信すると、このＩＰ−ＰＢＸ２は呼制御情報に含まれる相手電話番号の待機中の受信側ＩＰ端末６に対して前記ＩＰネットワーク１、前記ネットワークインターフェース手段１５を介して通信制御パラメータの情報に従って接続を指示し、接続指示を受信した受信側ＩＰ端末６は、その接続指示の示す内容に従い送信側ＩＰ端末３との接続処理を行い接続し、送信側ＩＰ端末４と受信側ＩＰ端末６との間で相互にダミーデータを送受信してダミーデータ通信を開始する（ステップ６１）。
【００９７】
このダミーデータ通信により、ダミーデータ通信中の前記ＩＰ端末４、６はパケットロスや遅延揺らぎ量や接続経路情報等のネットワークトラフィック情報を入手し前記ＩＰ端末３、５に通知する（ステップ６２）。
【００９８】
入手した前記ネットワークトラフィック情報は、前記蓄積監視手段１９に蓄積され、前記ネットワークトラフィック情報により前記ＩＰネットワーク１のトラフィック状態を監視する（ステップ６３）。
【００９９】
そして、前記ＩＰネットワーク１の蓄積監視情報から、音声通信の通信制御パラメータを決定し（ステップ６４）、例えば送信側ＩＰ端末３より音声通信を行うために前記ネットワークインターフェース手段１５、前記ＩＰネットワーク１を介して呼制御情報(オンフック、オフフック、相手電話番号、保留、転送等の情報) や決定した通信制御パラメータの情報（音声圧縮の種類、揺らぎバッファ量、パケット化周期、無音圧縮等）を前記シグナリング手段２１の指示により前記ＩＰ−ＰＢＸ２に送信する（ステップ６５）。
【０１００】
前記ＩＰ−ＰＢＸ２は呼制御情報に含まれる相手電話番号の受信側ＩＰ端末５に対して前記ＩＰネットワーク１、前記ネットワークインターフェース手段１５を介して通信制御パラメータの情報に従って接続を指示し、接続指示を受信した受信側ＩＰ端末５は、その接続指示の示す内容に従い送信側ＩＰ端末３との接続処理を行い接続し（ステップ６６）、送信側ＩＰ端末３と受信側ＩＰ端末５との間で音声通信を開始する（ステップ６７）。
【０１０１】
ここで、前記ステップにおいて待機中の前記ＩＰ端末３、５がダミーデータ通信により、前記ＩＰ端末３、５のパケットロスや遅延揺らぎ量や接続経路情報等のネットワークトラフィック情報を入手し、このネットワークトラフィック情報を前記ＩＰ端末４、６に通知するステップ６２と、前記ネットワークトラフィック情報を蓄積監視するステップ６３とが本実施の形態４における蓄積監視ステップで、前記ＩＰネットワーク１の蓄積監視情報から通信制御パラメータを決定するステップ６４が本実施の形態４における通信制御ステップで、通信制御パラメータが決定されたことを受けてＩＰ−ＰＢＸ２に接続制御のシグナリングを行うステップ６６がシグナリングステップである。
【０１０２】
以上のように本実施の形態４によれば、ＶｏＩＰ技術を利用しＩＰネットワーク１を介した音声通信を行い、通信制御を全てＩＰ上で処理するトラフィック連動型通信制御装置において、待機中のＩＰ端末３、４、５、６がダミーデータ通信を行いネットワークトラフィック情報を入手し各ＩＰ端末３、４、５、６に通知し、このネットワークトラフィック情報を蓄積及び監視する蓄積監視手段１９と、この蓄積監視手段１９の蓄積監視情報に基づいて通信制御を行う通信制御手段２０と、この通信制御手段２０の通信制御情報に基づいてＩＰ−ＰＢＸ２にシグナリングを要求するシグナリング手段２１とを有することにより、常に様々な経路のネットワークトラフィック情報が入手でき、このネットワークトラフィック情報に応じてシステム全体の通信品質を維持制御し、仮にネットワーク構成が変わってもネットワークトラフィック情報と連動した通信制御システムであるため、ネットワーク構成に依存しないで通信品質を維持制御できる。
【０１０３】
また上述の通り、トラフィック連動型通信制御システムとしてハードウェア的に実現できることは勿論のこと、「ステップ」として把握しトラフィック連動型通信制御方法としてソフトウェア的に実現することができることも明らかである。
【産業上の利用可能性】
【０１０４】
以上のように本発明のトラフィック連動型通信制御装置及びその方法は、ＶｏＩＰ技術を利用した通信技術において通信品質を維持制御することができ、ネットワーク構成に依存しないという効果を有し、様々なネットワーク構成における通信制御として有用である。
【図面の簡単な説明】
【０１０５】
【図１】本発明のトラフィック連動型通信制御装置が用いられる一例のＩＰ端末の構成を示すブロック図
【図２】本発明の実施の形態１におけるトラフィック連動型通信制御装置を用いたトラフィック制御システムの構成図
【図３】本発明の実施の形態１のトラフィック連動型通信制御方法の動作を示すフローチャート
【図４】本発明の実施の形態２におけるトラフィック連動型通信制御装置を用いたトラフィック制御システムの構成図
【図５】本発明の実施の形態２のトラフィック連動型通信制御方法の動作を示すフローチャート
【図６】本発明の実施の形態３におけるトラフィック連動型通信制御装置を用いたトラフィック制御システムの構成図
【図７】本発明の実施の形態３のトラフィック連動型通信制御方法の動作を示すフローチャート
【図８】本発明の実施の形態４におけるトラフィック連動型通信制御装置を用いたトラフィック制御システムの構成図
【図９】本発明の実施の形態４のトラフィック連動型通信制御方法の動作を示すフローチャート
【図１０】従来の通信制御システムのネットワーク構成図
【図１１】従来の通信制御方法の動作を示すシーケンス図
【符号の説明】
【０１０６】
１    ＩＰネットワーク
２    ＩＰ−ＰＢＸ
３、４、５、６    ＩＰ端末
７    ルーター
８    公衆回線網
９    マスターＩＰ端末
１１    ネットワークＶｏＩＰ処理手段
１２    音声出力手段
１３    操作表示手段
１４    メモリー手段
１５    ネットワークインターフェース手段
１６    電源手段
１７    主制御手段
１８    音声処理手段
１９    蓄積監視手段
２０    通信制御手段
２１    シグナリング手段
７０    ＩＰネットワーク
７１    移動体端末
７２    基地局
７３    無線ネットワーク制御装置
７４    ホームエージェント
７５    コールエージェント
７６    ゲートウェイ
７７    一般端末
７８    公衆回線網
７９    ダミー音声ＩＰパケット
８０    通信メッセージ
８１、８２    ＩＰトンネル
【図１】
2006109305.tif 000003
【図２】
2006109305.tif 000004
【図３】
2006109305.tif 000005
【図４】
2006109305.tif 000006
【図５】
2006109305.tif 000007
【図６】
2006109305.tif 000008
【図７】
2006109305.tif 000009
【図８】
2006109305.tif 000010
【図９】
2006109305.tif 000011
【図１０】
2006109305.tif 000012
【図１１】
2006109305.tif 000013